(57)【要約】【課題】天井面から下方へ向けて送出される風により涼感を得たり、部屋の空気を攪拌したりするのに使用される天井扇風機において、電源配線が回転するモータ部の上面に接触して損傷することを防ぐことを目的とする。【解決手段】パイプ部１の下方に備わる電源配線出口９よりも上方に、かつ水平方向においては電源配線出口９とターミナル部４の間となるように突起部２をパイプ部１の外面に設け、電源配線出口９から引き出された電源配線７が、電源配線出口９からターミナル部４までの距離より長い場合には、電源配線７は、はじめに突起部２を経由して、ターミナル部４へと接続される構成にしたことにより、電源配線７の自重やクセの付き方により垂れ下がり、回転するモータ部５の上面に接触して損傷することを防ぐことを可能とした天井扇風機を得られる。【選択図】図２
2018091257.tif 000002
【特許請求の範囲】
【請求項１】
天井に取り付け可能な筒形状のパイプ部と、
前記パイプ部の下部に固定されたシャフト部と、
前記シャフト部の下部に固定されたモータ部と、
前記モータ部によって回転する羽根部と、
前記シャフト部に設け前記モータ部と電気的に接続されたターミナル部とを備え、
前記パイプ部の下部には、水平方向に貫通した孔である電源配線出口と、外面から外方へ延びた突起部とを有し、
前記天井から延びた電源配線を、前記パイプ部の上端開口から、前記パイプ部内、前記電源配線出口、前記突起部を経由して前記ターミナル部に接続することを特徴とする天井扇風機。
【請求項２】
前記突起部は、前記パイプ部の前記電源配線出口よりも上方に設けたことを特徴とする請求項１に記載の天井扇風機。
【請求項３】
前記突起部は、水平方向において前記電源配線出口と前記ターミナル部との間に設けたことを特徴とする請求項１または２に記載の天井扇風機。
【請求項４】
前記ターミナル部を覆うカバー部を備え、
前記カバー部は前記パイプ部が通る孔を有し、
前記パイプ部の上端から前記カバー部の前記孔を通すと前記カバー部は前記突起部に引っ掛かることを特徴とする請求項１から３のいずれかに記載の天井扇風機。
【発明の詳細な説明】
【技術分野】
【０００１】
本発明は、天井から送出される風を浴びて涼感を得たり、空気を攪拌して部屋の温度ムラを解消したりするのに使用される天井扇風機に関するものである。
【背景技術】
【０００２】
従来、この種の天井扇風機は、一般家庭や飲食店、公共設備などの天井面に配設され、回転する羽根により、天井面から下方へ空気を送出するものが知られている。（例えば、特許文献１参照）
以下、その天井扇風機について図３を参照しながら説明する。
【０００３】
図３に示すように、天井扇風機は、天井に取り付け可能な筒形状のパイプ部１０１と、パイプ部１０１の上端開口からパイプ部１０１内部へ挿入され、パイプ部１０１の内側からパイプ部１０１の外側へ引き出される電源配線１０２と、パイプ部１０１の下部に固定されたシャフト部１０３と、シャフト部１０３の下部に固定されたモータ部１０４と、モータ部１０４によって回転する羽根部１０５と、カバー部１０６とを備えている。
【０００４】
天井扇風機は、電源配線１０２を介してモータ部１０４に給電されることで羽根部１０５が回転し、昇圧された空気を下方へ送出している。
【先行技術文献】
【特許文献】
【０００５】
【特許文献１】実開平４−６５９５号公報（８頁、第１図）
【発明の概要】
【発明が解決しようとする課題】
【０００６】
このような従来の天井扇風機においては、施工時の電源配線の長さが適切でない場合に、電源配線のたるみ部分が大きくなり、且つたるみ部分が固定されていないため、電源配線の引き回し方によっては回転するモータ部の上面に電源配線が接触して、電源配線の被覆が損傷するという課題を有していた。
【０００７】
そこで本発明は、上記従来の課題を解決するものであり、電源配線がモータ上面に接触することを防ぐ引き回し方を可能にした天井扇風機を提供することを目的とする。
【課題を解決するための手段】
【０００８】
そして、この目的を達成するために、本発明は、天井に取り付け可能な筒形状のパイプ部と、前記パイプ部の下部に固定されたシャフト部と、前記シャフト部の下部に固定されたモータ部と、前記モータ部によって回転する羽根部と、前記シャフト部に設け前記モータ部と電気的に接続されたターミナル部とを備え、前記パイプ部の下部には、水平方向に貫通した孔である電源配線出口と、外面から外方へ延びた突起部とを有し、前記ターミナル部に前記天井から延びた電源配線を接続する場合には、前記天井から延びた電源配線を、前記パイプ部の上端開口から、前記パイプ部内、前記電源配線出口、前記突起部を経由して前記ターミナル部に接続することとしたものであり、これにより所期の目的を達成するものである。
【発明の効果】
【０００９】
本発明によれば、前記天井から延びた電源配線を、前記パイプ部の上端開口から、前記パイプ部内、前記電源配線出口、前記突起部を経由して前記ターミナル部に接続する構成にしたことにより、前記電源配線を、前記突起部を介して固定することで、前記電源配線のたるみ部分が前記モータ部の上面に垂れ下がり接触するのを防ぐことが可能となるので、前記電源配線の被覆が回転する前記モータ部へ接触して損傷することを防ぐという効果を得ることができる。
【図面の簡単な説明】
【００１０】
【図１】本発明の実施の形態１の概要を示す斜視図
【図２】本発明の実施の形態１の詳細を示す部分断面図
【図３】従来の天井扇風機の構成を示す側断面図
【発明を実施するための形態】
【００１１】
本発明の請求項１記載の天井扇風機は、天井に取り付け可能な筒形状のパイプ部と、前記パイプ部の下部に固定されたシャフト部と、前記シャフト部の下部に固定されたモータ部と、前記モータ部によって回転する羽根部と、前記シャフト部に設け前記モータ部と電気的に接続されたターミナル部とを備え、前記パイプ部の下部には、水平方向に貫通した孔である電源配線出口と、外面から外方へ延びた突起部とを有し、前記ターミナル部に前記天井から延びた電源配線を接続する場合には、前記天井から延びた電源配線を、前記パイプ部の上端開口から、前記パイプ部内、前記電源配線出口、前記突起部を経由して前記ターミナル部に接続するという構成を有する。これにより、前記電源配線のたるみ部分を前記突起部へ固定することが可能となるので、前記電源配線のたるみ部分が垂れ下がり、回転する前記モータ部の上面へ接触して、被覆が損傷することを防ぐという効果を奏する。
【００１２】
また、前記突起部は、前記パイプ部の前記電源配線出口よりも上方に設けた構成にしてもよい。これにより、前記電源配線を上方へ持ち上げることができるので、より確実に前記電源配線のたるみ部分が前記モータ部の上面へ垂れ下がることを防ぐことができるという効果を奏する。
【００１３】
また、前記突起部は、水平方向において前記電源配線出口と前記ターミナル部との間に設けた構成にしてもよい。これにより、前記突起部を介して前記電源配線を引き回す際に必要となる、前記電源配線の長さを最小限に抑え、配線を容易に行うことができるという効果を奏する。
【００１４】
また、前記ターミナル部を覆うカバー部を備え、前記カバー部は前記パイプ部が通る孔を有し、前記パイプ部の上端から前記カバー部の前記孔を通すと前記カバー部は前記突起部に引っ掛かる構成にしてもよい。これにより、前記カバーを取り付ける際の仮固定ができるという効果を奏する。
【００１５】
以下、本発明の実施の形態について図面を参照しながら説明する。
【００１６】
（実施の形態１）
図１および図２に示すように、天井扇風機は、パイプ部１と、シャフト部３と、モータ部５と、羽根部６と、カバー部８とを備えている。
【００１７】
パイプ部１は、円筒形状であり、中心軸が上下方向に延びるように天井に取り付け可能である。パイプ部１の下部には、水平方向に貫通した孔である電源配線出口９を備えている。電源配線出口９の下方には、水平方向に貫通した孔である取付用孔（図示せず）を備えている。電源配線出口９の軸方向と、取付用孔の軸方向は直交している。パイプ部１の下部には、パイプ部１の下端からシャフト部３が挿入される。
【００１８】
シャフト部３は、円柱形状であり、上部には、水平方向に貫通した孔である取付用孔（図示せず）を備えている。シャフト部３とパイプ部１とは、ボルト・ナットによって固定されている。パイプ部１にシャフト部３を挿入し、パイプ部１の取付用孔とシャフト部３の取付用孔とを連通させ、これらにボルトを差込み、ナットで固定する。シャフト部３の下部には、モータ部５と電気的に接続されたターミナル部４が固定されている。ターミナル部４には、天井から延びた電源配線７が接続される。
【００１９】
モータ部５は、シャフト部３の下端に固定され、モータ部５の回転軸と、シャフト部３の中心軸とが、同軸上に配置されている。モータ部５の外周には、均等かつ放射状に羽根部６が固定されている。モータ部５には、電源配線７からターミナル部４を介して給電され、羽根部６が回転する。
【００２０】
カバー部８は、パイプ部１が通るための円形のパイプ孔１０が備わり、上端から下端へ向けてパイプ孔１０の開口面積が大きくなり、円錐形状を成しており、電源配線出口９と、ボルト・ナットと、ターミナル部４とを覆っている。
【００２１】
以上の構成において、電源配線７の配線について説明する。天井から延びた電源配線７は、円筒形状のパイプ部１の上端開口から、パイプ部１内へ挿入され、電源配線出口９から引き出される。引き出された電源配線７は、ターミナル部４へと接続され、モータ部５へ電気を供給し、羽根部６が回転する。
【００２２】
ここで、電源配線出口９から引き出された電源配線７が、電源配線出口９からターミナル部４までの距離より長い場合には、電源配線７は、はじめに突起部２を経由して、ターミナル部４へと接続される。突起部２は、パイプ部１の外面に設けられ、樹脂成形されたコの字型の部品であり、パイプ部１とネジ固定（図示せず）されている。
【００２３】
このように、天井から延びた電源配線は、パイプ部の上端開口から、パイプ部内、電源配線出口、突起部を経由してターミナル部に接続される構成であり、突起部２のコの字に引掛けるように引き回すことにより、電源配線７の長さを調整でき、電源配線のたるみ部分を突起部へ固定することが可能となるので、電源配線のたるみ部分が垂れ下がり、回転するモータ部の上面へ接触して、被覆が損傷することを防ぐという効果を奏する。
【００２４】
また、突起部２は、パイプ部１の電源配線出口９よりも上方に設けた。これにより、電源配線７を上方へ持ち上げることができるので、より確実に電源配線７のたるみ部分がモータ部５の上面へ垂れ下がることを防ぐことができる。
【００２５】
また、突起部２は、水平方向において電源配線出口９とターミナル部４との間に設けた。これにより、突起部２を介して電源配線７を引き回す際に必要となる、電源配線７の長さを最小限に抑え、配線を容易に行うことができる。
【００２６】
また、パイプ部１の上端からカバー部８のパイプ孔１０を通すとカバー部８は突起部２に引っ掛かる。具体的には、カバー部８の上端のパイプ孔１０の開口の直径は、パイプ部１の直径とパイプ部１の外面から外方に突出した突起部２の寸法との和より小さい。カバー部８の下端のパイプ孔１０の開口の直径は、パイプ部１の直径とパイプ部１の外面から外方に突出した突起部２の寸法との和より大きい。
【００２７】
これにより、天井扇風機を施工する際には、パイプ部１にカバー部８を通してから、パイプ部１を天井に取り付けて、その他の構成要素を組立てていくが、カバー部８の上端のパイプ孔１０の開口の直径が、パイプ部１の直径とパイプ部１の外面から外方に突出した突起部２の寸法との和より小さいため、カバー部８がパイプ部１からすり抜けて落下してしまうのを防ぎ、仮固定としての役割を果たすので、施工性を高めることができる。
【産業上の利用可能性】
【００２８】
本発明にかかる天井扇風機は、電源配線の引き回し方により、電源配線が回転するモータ部上面に接触して損傷するのを防ぐことを可能とするものであるので、天井面から下方へ向けて送出される風により涼感を得たり、部屋の空気を攪拌したりするのに使用される天井扇風機等として有用である。
【符号の説明】
【００２９】
１    パイプ部
２    突起部
３    シャフト部
４    ターミナル部
５    モータ部
６    羽根部
７    電源配線
８    カバー部
９    電源配線出口
１０    パイプ孔
【図１】
2018091257.tif 000003
【図２】
2018091257.tif 000004
【図３】
2018091257.tif 000005